(57)【特許請求の範囲】
【請求項１】
レンズ鏡筒に挿脱可能で、該レンズ鏡筒への挿入状態で光束を通す開口と、該開口の周囲に位置するフィルタ保持凹部とを有するホルダ本体；及び
上記光束通過開口を閉塞する光学フィルタを上記フィルタ保持凹部上に挟着保持する、単一のばね部材からなるフィルタ押さえ枠；を有する差込フィルタホルダにおいて、
上記フィルタ押さえ枠は、一端部がホルダ本体にそれぞれ固定され上記光束通過開口の両側に沿って延びる一対の弾性脚部と、この一対の弾性脚部の内側に位置していて上記光束通過開口の外囲に延びる内側枠と、上記一対の弾性脚部と内側枠とを接続する接続部とを有しており、
上記内側枠に、上記ホルダ本体とフィルタ押さえ枠との間に保持する光学フィルタに当接する少なくとも３つ以上の当接凸部が形成されていることを特徴とする差込フィルタホルダ。
【請求項２】
請求項１記載の差込フィルタホルダにおいて、
上記接続部は、上記一対の弾性脚部の自由端部間を接続する、該フィルタ押さえ枠をフィルタ保持凹部から離間させる方向に弾性変形させるための着力部を有する着力枠の延長上に設けられており、この着力枠は同時に、上記内側枠の一部を兼ねている兼用枠である差込フィルタホルダ。
【請求項３】
請求項２記載の差込フィルタホルダにおいて、
上記兼用枠に、上記ホルダ本体とフィルタ押さえ枠との間に保持する光学フィルタに当接する少なくとも１つ以上の当接凸部が形成されている差込フィルタホルダ。
【請求項４】
請求項２または３記載の差込フィルタホルダにおいて、
上記兼用枠以外の内側枠のばね定数は、上記一対の弾性脚部と着力枠のばね定数より小さく設定されている差込フィルタホルダ。
【請求項５】
請求項４記載の差込フィルタホルダにおいて、
上記フィルタ押さえ枠は、同一厚さの板ばね材料からなっていて、上記ばね定数の大小は、該板ばね材料の幅の大小で設定されている差込フィルタホルダ。
【請求項６】
請求項１ないし５のいずれか１項記載の差込フィルタホルダにおいて、
上記当接凸部のうちの少なくとも２つは、上記一対の弾性脚部の延長線に略直交する直線上に並列して配置されている差込フィルタホルダ。
【請求項７】
請求項１記載の差込フィルタホルダにおいて、
上記接続部は、上記内側枠を含む平面を、上記一対の弾性脚部を含む平面に対して揺動可能に支持する回動接続部からなっている差込フィルタホルダ。
【請求項８】
請求項７記載の差込フィルタホルダにおいて、
上記フィルタ押さえ枠は、同一厚さの板ばね材料からなっていて、上記回動接続部のばね材料の幅は、一対の弾性脚部及び内側枠を構成するばね材料の幅より、小さく設定されている差込フィルタホルダ。
【請求項９】
レンズ鏡筒に挿脱可能で、該レンズ鏡筒への挿入状態で光束を通す開口と、該開口の周囲に位置するフィルタ保持凹部とを有するホルダ本体；及び
上記光束通過開口を閉塞する光学フィルタを上記フィルタ保持凹部上に挟着保持する、単一のばね部材からなるフィルタ押さえ枠；を有する差込フィルタホルダにおいて、
上記フィルタ押さえ枠は、
一端部がホルダ本体にそれぞれ固定され上記光束通過開口の両側に沿って延びる一対の弾性脚部と、上記一対の弾性脚部を接続する兼用接続部とからなる第１のコの字状またはＵ字状押さえ枠と、
上記第１のコの字状またはＵ字状押さえ枠の兼用接続部から上記一対の弾性脚部の内側に向かって上記光束通過開口の外囲に延びる第２のコの字状またはＵ字状押さえ枠とを有し、
上記第２のコの字状またはＵ字状押さえ枠のばね定数は、上記第１のコの字状またはＵ字状押さえ枠のばね定数よりも小さく設定されていることを特徴とする差込フィルタホルダ。
【発明の詳細な説明】
【技術分野】
【０００１】
本発明は、レンズ鏡筒に挿脱可能な差込フィルタホルダに関する。
【背景技術】
【０００２】
図８、図９は従来の差込フィルタホルダ１を示している。この従来の差込フィルタホルダ１は、レンズ鏡筒への挿入状態で光束を通す開口２と、この開口２の周囲に位置するフィルタ保持凹部３とを有するホルダ本体４、及び開口２を閉塞するゼラチンフィルタ（光学フィルタ）ＧＦをフィルタ保持凹部３上に挟着保持するフィルタ押さえ枠５を有している。
【０００３】
フィルタ押さえ枠５は、略コの字形状の単一のばね部材からなり、その両端部がホルダ本体４に固定ねじＰで固定されている。コの字形状の各辺にはそれぞれ、ホルダ本体４とフィルタ押さえ枠５の間に保持するゼラチンフィルタＧＦに当接する当接凸部５Ａ、５Ｂ、５Ｃが形成されている。
【先行技術文献】
【特許文献】
【０００４】
【特許文献１】特開２０００−２９８２２８号公報
【特許文献２】実開昭６１−１２４０２６号公報
【発明の概要】
【発明が解決しようとする課題】
【０００５】
ゼラチンフィルタＧＦは、使用態様（色合い、明るさの調整）に応じて複数枚重ねて使用するのが普通であり、その重ねる枚数により厚みｄが異なる。このため、ゼラチンフィルタＧＦをその厚みｄに関係なく好適に挟着保持するのが難しい。
【０００６】
すなわち、図９に示すように、ゼラチンフィルタＧＦの厚みｄが大きいと（多数枚使用すると）、フィルタ押さえ枠５のうち固定ねじＰから最も離れて位置する一辺が浮き上がり、この一辺に形成された当接凸部５ＣがゼラチンフィルタＧＦに当接できず、ゼラチンフィルタＧＦを挟着する強度が低下して、ゼラチンフィルタＧＦの安定性が保てない。
【０００７】
一方、当接凸部５Ｃを当接凸部５Ａ、５Ｂよりも高くすることで当接凸部５ＣとゼラチンフィルタＧＦの当接を確保することも考えられるが、ゼラチンフィルタＧＦの厚みｄが小さいと（例えば１枚だけで使用すると）、当接凸部５Ｃを高くした分だけ当接凸部５Ａ、５Ｂが形成された二辺が浮き上がり、これら当接凸部５Ａ、５ＢがゼラチンフィルタＧＦに当接できず、ゼラチンフィルタＧＦを挟着する強度が低下して、ゼラチンフィルタＧＦの安定性が保てない。
【０００８】
本発明は、以上の問題意識に基づいてなされたものであり、ゼラチンフィルタをその厚みに関係なく好適に挟着保持してゼラチンフィルタの安定性を保つことができる差込フィルタホルダを提供することを目的とする。
【課題を解決するための手段】
【０００９】
本発明の差込フィルタホルダは、レンズ鏡筒に挿脱可能で、該レンズ鏡筒への挿入状態で光束を通す開口と、該開口の周囲に位置するフィルタ保持凹部とを有するホルダ本体；及び上記光束通過開口を閉塞する光学フィルタを上記フィルタ保持凹部上に挟着保持する、単一のばね部材からなるフィルタ押さえ枠；を有する差込フィルタホルダにおいて、上記フィルタ押さえ枠は、一端部がホルダ本体にそれぞれ固定され上記光束通過開口の両側に沿って延びる一対の弾性脚部と、上記一対の弾性脚部の内側に位置していて上記光束通過開口の外囲に延びる内側枠と、この一対の弾性脚部と内側枠とを接続する接続部とを有しており、上記内側枠に、上記ホルダ本体とフィルタ押さえ枠との間に保持する光学フィルタに当接する少なくとも３つ以上の当接凸部が形成されていることを特徴としている。
【００１０】
上記接続部は、上記一対の弾性脚部の自由端部間を接続する、該フィルタ押さえ枠をフィルタ保持凹部から離間させる方向に弾性変形させるための着力部を有する着力枠の延長上に設けることができ、この着力枠は同時に、上記内側枠の一部を兼ねている兼用枠とすることができる。
【００１１】
上記兼用枠にも、上記ホルダ本体とフィルタ押さえ枠との間に保持する光学フィルタに当接する少なくとも１つ以上の当接凸部を形成することができる。
【００１２】
上記兼用枠以外の内側枠のばね定数は、上記一対の弾性脚部と着力枠のばね定数より小さく設定することが好ましい。この場合、上記フィルタ押さえ枠を同一厚さの板ばね材料から構成し、上記ばね定数の大小は、該板ばね材料の幅の大小で設定することができる。
【００１３】
上記当接凸部のうちの少なくとも２つは、上記一対の弾性脚部の延長線に略直交する直線上に並列して配置することが好ましい。
【００１４】
別の態様では、上記接続部は、上記内側枠を含む平面を、上記一対の弾性脚部を含む平面に対して揺動可能に支持する回動（捩れ）接続部から構成することができる。
【００１５】
この場合、上記フィルタ押さえ枠を同一厚さの板ばね材料から構成し、上記回動接続部のばね材料の幅を、一対の弾性脚部及び内側枠を構成するばね材料の幅より小さく設定することが好ましい。
【００１６】
本発明の差込フィルタホルダは、さらに別の態様では、レンズ鏡筒に挿脱可能で、該レンズ鏡筒への挿入状態で光束を通す開口と、該開口の周囲に位置するフィルタ保持凹部とを有するホルダ本体；及び上記光束通過開口を閉塞する光学フィルタを上記フィルタ保持凹部上に挟着保持する、単一のばね部材からなるフィルタ押さえ枠；を有する差込フィルタホルダにおいて、上記フィルタ押さえ枠は、一端部がホルダ本体にそれぞれ固定され上記光束通過開口の両側に沿って延びる一対の弾性脚部と、上記一対の弾性脚部を接続する兼用接続部とからなる第１のコの字状またはＵ字状押さえ枠と、上記第１のコの字状またはＵ字状押さえ枠の兼用接続部から上記一対の弾性脚部の内側に向かって上記光束通過開口の外囲に延びる第２のコの字状またはＵ字状押さえ枠とを有し、上記第２のコの字状またはＵ字状押さえ枠のばね定数は、上記第１のコの字状またはＵ字状押さえ枠のばね定数よりも小さく設定されていることを特徴としている。
【発明の効果】
【００１７】
本発明によれば、ゼラチンフィルタをその厚みに関係なく好適に挟着保持してゼラチンフィルタの安定性を保つことができる差込フィルタホルダを提供することができる。
【図面の簡単な説明】
【００１８】
【図１】本発明の実施の形態１に係る差込フィルタホルダの構成を示す正面図である。
【図２】図１の差込フィルタホルダのフィルタ押さえ枠の単独構成を示す正面図である。
【図３】図１の差込フィルタホルダに光学フィルタを挟み込んで保持した状態を示す概略断面図である。
【図４】図１の差込フィルタホルダの第１の変形例の構成を示す正面図である。
【図５】図１の差込フィルタホルダの第２の変形例の構成を示す正面図である。
【図６】本発明の実施の形態２に係る差込フィルタホルダのフィルタ押さえ枠の単独構成を示す正面図である。
【図７】図６のフィルタ押さえ枠を有する差込フィルタホルダに光学フィルタを挟み込んで保持した状態を示す概略断面図である。
【図８】従来の差込フィルタホルダの構成を示す正面図である。
【図９】従来の差込フィルタホルダの問題点を示す概略斜視図である。
【発明を実施するための形態】
【００１９】
（実施の形態１）
図１乃至図３は、本発明の実施の形態１に係る差込フィルタホルダ１００を示している。差込フィルタホルダ１００は、ホルダ本体１０と、このホルダ本体１０に一対の固定ねじＰで固定されたフィルタ押さえ枠２０とを有している。
【００２０】
ホルダ本体１０は、レンズ鏡筒（図示せず）の外周面に沿う部分円筒状の外装板１１を有しており、この外装板１１に設けたつまみ部１１ａを介して、レンズ鏡筒に形成された切欠部（図示せず）に挿脱可能である。
【００２１】
ホルダ本体１０には、レンズ鏡筒への挿入状態で光束を通す開口（光束透過開口）１２と、この開口１２の周囲に位置するフィルタ保持凹部１３とを有している。符号Ｏは、レンズ鏡筒の撮影光軸（つまり円形の開口１２の中心）を示している。フィルタ保持凹部１３には、開口１２を閉塞しかつ光軸直交方向への移動が規制された状態でゼラチンフィルタＧＦが収納される。ゼラチンフィルタＧＦは、画像の色合い、明るさを調整するため、光の透過率を変化させるゼラチン質の材料からなる光学フィルタである。
【００２２】
フィルタ押さえ枠２０は、単一のばね部材（板ばね材料）からなり、一端部がホルダ本体１０に固定ねじＰでそれぞれ固定され開口１２の両側に沿って延びる一対の弾性脚部２１と、この一対の弾性脚部２１の内側に位置していて開口１２の外囲に位置する矩形の内側枠２２と、この一対の弾性脚部２１と矩形内側枠２２を接続する接続部２３とを有している。矩形内側枠２２の固定ねじＰから離れた側の端部は、接続部２３の延長上に延びる着力枠２４を構成しており、この着力枠２４には、フィルタ押さえ枠２０をフィルタ保持凹部１３から離間させる方向に弾性変形させるための着力つまみ（着力部）２４ａが形成されている。着力枠２４は、矩形内側枠２２の一部（一対の弾性脚部２１の固定部から離れた側の一辺部）を兼ねている兼用枠である。
【００２３】
また、矩形内側枠２２は、着力枠（下辺部）２４を除く左右辺部２２ａ及び上辺部２２ｂのばね定数が、一対の弾性脚部２１と着力枠２４（接続部２３）のばね定数よりも小さく設定されている。すなわち、フィルタ押さえ枠２０は、同一厚さの板ばね材料からなっていて、着力枠２４以外の矩形内側枠２２は、一対の弾性脚部２１と着力枠２４（接続部２３）よりも板ばね材料の幅が小さくなっている。
【００２４】
矩形内側枠２２には、着力枠（下辺部）２４、左右辺部２２ａ及び上辺部２２ｂの四隅に位置させて、４つの当接凸部２２Ａ、２２Ｂ、２２Ｃ、２２Ｄが形成されている。当接凸部２２Ａと２２Ｄ、及び当接凸部２２Ｂと２２Ｃは、それぞれ、一対の弾性脚部２１の延長線に略直交する直線上（図中左右方向）に並列して配置されている。
【００２５】
以上の構成の差込フィルタホルダ１００にゼラチンフィルタＧＦを挟着するには、着力つまみ２４ａを持ち上げてフィルタ押さえ枠２０をフィルタ保持凹部１３から離間させる方向に弾性変形させた状態で、フィルタ保持凹部１３にゼラチンフィルタＧＦを挿入する。これにより、ゼラチンフィルタＧＦが開口１２を閉塞するとともに、ゼラチンフィルタＧＦの光軸直交方向への移動が規制される。そして、着力つまみ２４ａを離すとフィルタ押さえ枠２０が弾性復帰して、まず固定ねじＰに近い側で並列配置された当接凸部２２Ａ、２２ＤがゼラチンフィルタＧＦに当接し、次いでゼラチンフィルタＧＦの厚みｄに応じた量だけ矩形内側枠２２の左右辺部２２ａが撓んでいき、やがて固定ねじＰから遠い側で並列配置された当接凸部２２Ｂ、２２ＣがゼラチンフィルタＧＦに当接する。このようにして、４つの当接凸部２２Ａ−２２ＤがゼラチンフィルタＧＦに当接して、ゼラチンフィルタＧＦがホルダ本体１０（フィルタ保持凹部１３）とフィルタ押さえ枠２０の間に挟着保持される。すなわち、ゼラチンフィルタＧＦの光軸方向への移動が規制される。レンズ鏡筒への装着は、差し込みフィルタホルダ１００を、外装板１１に設けたつまみ部１１ａを介して、レンズ鏡筒に形成された切欠部（図示せず）に挿入して行う。
【００２６】
ここで、上述した通り、ゼラチンフィルタＧＦは、使用態様（色合い、明るさの調整）に応じて複数枚重ねて使用するのが普通であり、その重ねる枚数により厚みｄが異なる。このため、従来品では、ゼラチンフィルタＧＦをその厚みｄに関係なく好適に挟着保持するのが難しかった。
【００２７】
これに対し、本実施形態では、フィルタ押さえ枠２０が、一端部がホルダ本体１０にそれぞれ固定され開口１２の両側に沿って延びる一対の弾性脚部２１と、この一対の弾性脚部２１の内側に位置していて開口１２の外囲に延びる矩形内側枠２２と、この一対の弾性脚部２１と矩形内側枠２２とを接続する接続部２３とを有しており、矩形内側枠２２に、ホルダ本体１０とフィルタ押さえ枠２０との間に保持するゼラチンフィルタＧＦに当接する４つの当接凸部２２Ａ−２２Ｄを形成したので、ゼラチンフィルタＧＦの厚みｄに応じた量だけ矩形内側枠２２の左右辺部２２ａが撓み、ゼラチンフィルタＧＦをその厚みｄに関係なく好適に挟着保持することができる。
【００２８】
すなわち、矩形内側枠２２の左右辺部２２ａのばね定数が一対の弾性脚部２１のばね定数よりも小さいので、図３に示すように、ばね定数が小さい矩形内側枠２２の左右辺部２２ａが撓んで一対の弾性脚部２１と矩形内側枠２２のなす角度がゼラチンフィルタＧＦの厚みｄに応じて変化し得る。そのため、ゼラチンフィルタＧＦの厚みが大きいときには一対の弾性脚部２１と矩形内側枠２２のなす角度が大きくなり（矩形内側枠２２の左右辺部２２ａの撓み量が大きくなり）、ゼラチンフィルタＧＦの厚みが小さいときには一対の弾性脚部２１と矩形内側枠２２のなす角度が小さくなる（矩形内側枠２２の左右辺部２２ａの撓み量が小さくなる）結果、ゼラチンフィルタＧＦと４つの当接凸部２２Ａ−２２Ｄとを常に好適に当接させることができる。
【００２９】
別言すると、一対の弾性脚部２１と着力枠２４（接続部２３）により形成されたコの字状押さえ枠（第１押さえ枠）と、着力枠２４（接続部２３）から一対の弾性脚部２１の内側に向かって延びる辺部２２ａと２２ｂからなるコの字状押さえ枠（第２押さえ枠）とが、ゼラチンフィルタＧＦの面をバランスよく押さえて、４つの当接凸部２２Ａ−２２Ｄを当接させることができる。
【００３０】
特に、着力枠（兼用枠）２４以外の矩形内側枠２２（辺部２２ａ、２２ｂ）のばね定数を、一対の弾性脚部２１と着力枠２４（接続部２３）のばね定数より小さく設定したので、一対の弾性脚部２１と着力枠２４（接続部２３）によりゼラチンフィルタＧＦを強固に押さえる一方、着力枠（兼用枠）２４以外の矩形内側枠２２（辺部２２ａ、２２ｂ）により補強的にゼラチンフィルタＧＦを押さえることができる結果、ゼラチンフィルタＧＦの面を均一に押さえることができる。
【００３１】
図４は、差込フィルタホルダ１００の第１の変形例を示しており、一対の弾性脚部２１の内側に位置していて開口１２の外囲に延びるＵ字状内側枠２５と、直線状の着力枠（兼用枠）２４によって閉じられた内側枠２２’を形成している。この実施形態では、Ｕ字状内側枠２５のばね定数は、他の部分のばね定数より低く（幅を狭く）設定されている。図４（Ａ）の変形例では、Ｕ字状内側枠２５に、３つの当接凸部２５Ａ、２５Ｂ、２５Ｃが形成されている。図４（Ｂ）の変形例では、Ｕ字状内側枠２５に２つの当接凸部２５Ｄ、２５Ｅが形成され、兼用枠としての着力枠２４に１つの当接凸部２４Ａが形成されている。本変形例においても、３つの当接凸部（２５Ａと２５Ｂと２５Ｃ、又は２５Ｄと２５Ｅと２４Ａ）のすべてがゼラチンフィルタＧＦに好適に当接でき、ゼラチンフィルタＧＦを安定して挟着保持することができる。特に、並列配置された当接凸部２５Ｂと２５Ｃ、当接凸部２５Ｄと２５Ｅが同時にゼラチンフィルタＧＦに当接する（一方の当接凸部だけが浮き上がることがない）ので、ゼラチンフィルタＧＦの安定性が高い。
【００３２】
図５は、差込フィルタホルダ１００の第２の変形例を示している。この変形例では、一対の弾性脚部２１の内側に位置していて開口１２の外囲に延びるＵ字状内側枠２６と、逆Ｕ字状着力枠２７によって閉じられた内側枠２２’’を構成している。この実施形態では、Ｕ字状内側枠２６のばね定数は、他の部分のばね定数より低く（幅を狭く）設定されている。また、フィルタ保持凹部１３’は逆Ｕ字状着力枠２７に合わせたＵ字形状となっている。図５（Ａ）の変形例では、Ｕ字状内側枠２６に１つの当接凸部２６Ａが形成され、逆Ｕ字状着力枠２７に２つの当接凸部２７Ａ、２７Ｂが形成されている。図５（Ｂ）の変形例では、Ｕ字状内側枠２６に２つの当接凸部２６Ｂ、２６Ｃが形成され、逆Ｕ字状着力枠２７に１つの当接凸部２７Ｃが形成されている。本変形例においても、３つの当接凸部（２６Ａと２７Ａと２７Ｂ、又は２６Ｂと２６Ｃと２７Ｃ）のすべてがゼラチンフィルタＧＦに好適に当接でき、ゼラチンフィルタＧＦを安定して挟着保持することができる。特に、並列配置された当接凸部２７Ａと２７Ｂ、当接凸部２６Ｂと２６Ｃが同時にゼラチンフィルタＧＦに当接する（一方の当接凸部だけが浮き上がることがない）ので、ゼラチンフィルタＧＦの安定性が高い。
【００３３】
（実施の形態２）
図６及び図７は、本発明の実施の形態２に係る差込フィルタホルダ２００を示している。本実施の形態２の差込フィルタホルダ２００は、実施の形態１のフィルタ押さえ枠２０に代えてフィルタ押さえ枠３０を有している。ホルダ本体１０の構成は実施の形態１と同一なので、図示及びその説明を省略する。
【００３４】
フィルタ押さえ枠３０は、一端部がホルダ本体１０にそれぞれ固定され開口１２の両側に沿って延びる一対の弾性脚部３１と、この一対の弾性脚部３１の内側に位置していて開口１２の外囲に延びる中空四角状内側枠３２と、この一対の弾性脚部３１と中空四角状内側枠３２を接続する回動接続部（捩れ接続部）３３とを有している。回動接続部３３は、中空四角状内側枠３２を含む平面（面）を、一対の弾性脚部３１を含む平面（面）に対して揺動可能に支持している。
【００３５】
回動接続部３３のばね定数は、一対の弾性脚部３１と中空四角状内側枠３２のばね定数より小さく設定されている。すなわち、フィルタ押さえ板３０は、同一厚さの板ばね材料からなっていて、回動接続部３３は、一対の弾性脚部３１と中空四角状内側枠３２よりも板ばね材料の幅が小さくなっている。中空四角状内側枠３２の四隅には、４つの当接凸部３２Ａ、３２Ｂ、３２Ｃ、３２Ｄが形成されている。中空四角状内側枠３２の固定ねじＰから最も離れた一辺には、着力つまみ（着力部）３２ａが形成されている。
【００３６】
本実施形態によれば、図７に示すように、回動接続部３３がゼラチンフィルタＧＦの厚みｄに応じて捩れることにより、中空四角状内側枠３２が一対の弾性脚部３１に対して揺動するので、中空四角状内側枠３２をゼラチンフィルタＧＦに対して平行に維持できる結果、ゼラチンフィルタＧＦと４つの当接凸部３２Ａ−３２Ｄとを常に好適に当接させることができる。
【００３７】
以上の実施形態では、光学フィルタとしてゼラチンフィルタを用いる場合を例示して説明したが、それ以外の光学フィルタを用いる場合についても本発明は同様に適用可能である。
【００３８】
また、以上の実施形態において、内側枠及び着力枠に形成する当接凸部の数、位置、大きさ等は、本発明の技術思想の範囲内で種々変更可能である。
【符号の説明】
【００３９】
１００  差込フィルタホルダ
１０  ホルダ本体
１１  外装板
１１ａ  つまみ部
１２  開口（光束透過開口）
１３  １３’  フィルタ保持凹部
２０  フィルタ押さえ枠
２１  一対の弾性脚部
２２  矩形内側枠
２２’  ２２’’  内側枠
２２ａ、２２ｂ  辺部
２２Ａ、２２Ｂ、２２Ｃ、２２Ｄ  当接凸部
２３  接続部
２４  着力枠（兼用枠）
２４ａ  着力つまみ（着力部）
２４Ａ  当接凸部
２５  Ｕ字状内側枠
２５Ａ、２５Ｂ、２５Ｃ、２５Ｄ、２５Ｅ  当接凸部
２６  Ｕ字状内側枠
２６Ａ、２６Ｂ、２６Ｃ  当接凸部
２７  逆Ｕ字状着力枠（兼用枠）
２７Ａ、２７Ｂ、２７Ｃ  当接凸部
２００  差込フィルタホルダ
３０  フィルタ押さえ枠
３１  一対の弾性脚部
３２  中空四角状内側枠
３２ａ  着力つまみ（着力部）
３３  回動（捩れ）接続部
ＧＦ  ゼラチンフィルタ（光学フィルタ）
Ｏ  光軸
Ｐ  固定ねじ
【図１】
0005381590.tif 000002
【図２】
0005381590.tif 000003
【図３】
0005381590.tif 000004
【図４】
0005381590.tif 000005
【図５】
0005381590.tif 000006
【図６】
0005381590.tif 000007
【図７】
0005381590.tif 000008
【図８】
0005381590.tif 000009
【図９】
0005381590.tif 000010